【手続補正書】
【提出日】平成15年7月15日(2003.7.15)
【手続補正１】
【補正対象書類名】明細書
【補正対象項目名】特許請求の範囲
【補正方法】変更
【補正の内容】
【特許請求の範囲】
【請求項１】
プロセススピードを２つ以上有する画像形成装置本体に着脱可能なプロセスカートリッジにおいて、電子写真感光体と、前記電子写真感光体に作用するプロセス手段と、プロセスカートリッジに関する情報をプロセススピードに対応して記憶する記憶手段とを有することを特徴とするプロセスカートリッジ。
【請求項２】
前記記憶手段に記憶される情報が、少なくとも各々のプロセススピードにおけるプロセスカートリッジの使用量を含むことを特徴とする請求項１のプロセスカートリッジ。
【請求項３】
前記画像形成装置本体は前記プロセス手段に電力を供給する高圧電源を含み、前記記憶手段に記憶される情報が、少なくとも各々のプロセススピードにおけるプロセスカートリッジの使用量を含み、各々のプロセススピードにおけるプロセスカートリッジの使用量に応じて、あるプロセススピードでのプリント時の画像形成条件が補正されることを特徴とする請求項１のプロセスカートリッジ。
【請求項４】
前記画像形成装置本体は前記プロセス手段に電力を供給する高圧電源を含み、前記記憶手段に記憶される情報が、少なくとも各々のプロセススピードにおけるプロセスカートリッジの使用量を含み、各々のプロセススピードにおけるプロセスカートリッジの使用量が所定量以上の場合、プロセスカートリッジ交換時期を示す信号を前記画像形成装置本体又はコンピュータに送ることを特徴とする請求項１のプロセスカートリッジ。
【請求項５】
画像形成装置本体に着脱可能なプロセスカートリッジにおいて、
電子写真感光体と、前記電子写真感光体に作用するプロセス手段と、プロセスカートリッジに関する情報をプロセススピードに対応して記憶する記憶手段とを有し、
前記記憶手段に記憶される情報が、少なくともプロセスカートリッジの使用量を含み、
前記画像形成装置本体は、前記プロセス手段に含まれる現像手段に直流電圧に交流電圧を重畳した振動電圧を印加する現像バイアス印加手段と、プロセスカートリッジの使用量が所定量以上の場合、前記振動電圧の交流電圧を、所定時間にわたって電圧振動させた後、所定時間休止させて、これを周期的に繰り返すように制御する制御手段とを有し、
前記制御手段によって、前記記憶手段に記憶されるプロセスカートリッジの使用量に応じて、前記交流電圧の休止時間を設定する周期を可変させて、前記現像手段の現像条件が補正されることを特徴とするプロセスカートリッジ。
【請求項６】
前記プロセスカートリッジとは、前記プロセス手段としての帯電手段と、現像手段又はクリーニング手段と、前記電子写真感光体とを一体的にカートリッジ化し、このカートリッジを画像形成装置本体に対して着脱可能とするものである請求項１から５のうちいずれかひとつのプロセスカートリッジ。
【請求項７】
前記プロセスカートリッジとは、前記プロセス手段としての帯電手段、現像手段及びクリーニング手段の少なくとも一つと、前記電子写真感光体とを一体的にカートリッジ化し、このカートリッジを画像形成装置本体に対して着脱可能とするものである請求項１から５のうちいずれかひとつのプロセスカートリッジ。
【請求項８】
前記プロセスカートリッジとは、前記プロセス手段としての少なくとも現像手段と、前記電子写真感光体とを一体的にカートリッジ化し、このカートリッジを画像形成装置本体に対して着脱可能とするものである請求項１から５のうちいずれかひとつのプロセスカートリッジ。
【請求項９】
プロセスカートリッジを着脱可能であって、記録媒体に画像を形成する画像形成装置において、
（ａ）電子写真感光体と、前記電子写真感光体に作用するプロセス手段と、プロセスカートリッジに関する情報をプロセススピードに対応して記憶する記憶手段とを有するプロセスカートリッジを、装置本体に取外し可能に装着するための装着手段と、
（ｂ）前記記録媒体を搬送する搬送手段と、
を有することを特徴とする画像形成装置。
【請求項１０】
プロセスカートリッジを着脱可能であって、記録媒体に画像を形成する画像形成装置において、
（ａ）電子写真感光体と、前記電子写真感光体に作用するプロセス手段と、プロセスカートリッジに関する情報をプロセススピードに応じて記憶する記憶手段とを有するプロセスカートリッジを、装置本体に着脱可能に装着するための装着手段と、
（ｂ）前記プロセス手段に含まれる現像手段に直流電圧に交流電圧を重畳した振動電圧を印加する現像バイアス印加手段と、
（ｃ）前記記憶手段に記憶される情報が、少なくともプロセスカートリッジの使用量を含み、プロセスカートリッジの使用量が所定量以上の場合、前記振動電圧の交流電圧を、所定時間にわたって電圧振動させた後、所定時間休止させて、これを周期的に繰り返すよう制御し、前記記憶手段に記憶されるプロセスカートリッジの使用量に応じて、前記交流電圧の休止時間を設定する周期を可変させて、前記現像手段の現像条件を補正する制御手段と、
（ｄ）前記記録媒体を搬送する搬送手段と、
を有することを特徴とする画像形成装置。
【請求項１１】
現像容器を備えた現像手段を有し、画像形成装置本体に脱着自在な現像装置において、現像装置に関する情報をプロセススピードに対応して記憶する記憶手段を有することを特徴とする現像装置。
【請求項１２】
現像容器を備えた現像手段を有し、画像形成装置本体に脱着自在な現像装置において、
現像装置に関する情報をプロセススピードに対応して記憶する記憶手段を有し、
前記記憶手段に記憶される情報が、少なくとも現像装置の使用量を含み、
前記画像形成装置本体は、現像手段に直流電圧に交流電圧を重畳した振動電圧を印加する現像バイアス印加手段と、現像手段の使用量が所定量以上の場合、前記振動電圧の交流電圧を、所定時間にわたって電圧振動させた後、所定時間休止させて、これを周期的に繰り返すように制御する制御手段とを有し、
前記制御手段によって、前記記憶手段に記憶される現像手段の使用量に応じて、前記交流電圧の休止時間を設定する周期を可変させて、前記現像手段の現像条件が補正されることを特徴とする現像装置。
【手続補正２】
【補正対象書類名】明細書
【補正対象項目名】００１２
【補正方法】変更
【補正の内容】
【００１２】
前記記憶手段に記憶される情報は、少なくとも各々のプロセススピードにおけるプロセスカートリッジの使用量を含むことが好ましい。前記画像形成装置本体は前記プロセス手段に電力を供給する高圧電源を含み、前記記憶手段に記憶される情報が、少なくとも各々のプロセススピードにおけるプロセスカートリッジの使用量を含み、各々のプロセススピードにおけるプロセスカートリッジの使用量に応じて、あるプロセススピードでのプリント時の画像形成条件が補正されることが好ましい。


【手続補正３】
【補正対象書類名】明細書
【補正対象項目名】００１３
【補正方法】削除
【補正の内容】
【手続補正４】
【補正対象書類名】明細書
【補正対象項目名】００１５
【補正方法】変更
【補正の内容】
【００１５】
本発明による他の態様によれば、画像形成装置本体に着脱可能なプロセスカートリッジにおいて、
電子写真感光体と、前記電子写真感光体に作用するプロセス手段と、プロセスカートリッジに関する情報をプロセススピードに対応して記憶する記憶手段とを有し、
前記記憶手段に記憶される情報が、少なくともプロセスカートリッジの使用量を含み、
前記画像形成装置本体は、前記プロセス手段に含まれる現像手段に直流電圧に交流電圧を重畳した振動電圧を印加する現像バイアス印加手段と、プロセスカートリッジの使用量が所定量以上の場合、前記振動電圧の交流電圧を、所定時間にわたって電圧振動させた後、所定時間休止させて、これを周期的に繰り返すように制御する制御手段とを有し、
前記制御手段によって、前記記憶手段に記憶されるプロセスカートリッジの使用量に応じて、前記交流電圧の休止時間を設定する周期を可変させて、前記現像手段の現像条件が補正されることを特徴とするプロセスカートリッジが提供される。


【手続補正５】
【補正対象書類名】明細書
【補正対象項目名】００１７
【補正方法】変更
【補正の内容】
【００１７】
更に、本発明による他の態様によれば、プロセスカートリッジを着脱可能であって、記録媒体に画像を形成する画像形成装置において、
（ａ）電子写真感光体と、前記電子写真感光体に作用するプロセス手段と、プロセスカートリッジに関する情報をプロセススピードに応じて記憶する記憶手段とを有するプロセスカートリッジを、装置本体に着脱可能に装着するための装着手段と、
（ｂ）前記プロセス手段に含まれる現像手段に直流電圧に交流電圧を重畳した振動電圧を印加する現像バイアス印加手段と、
（ｃ）前記記憶手段に記憶される情報が、少なくともプロセスカートリッジの使用量を含み、プロセスカートリッジの使用量が所定量以上の場合、前記振動電圧の交流電圧を、所定時間にわたって電圧振動させた後、所定時間休止させて、これを周期的に繰り返すよう制御し、前記記憶手段に記憶されるプロセスカートリッジの使用量に応じて、前記交流電圧の休止時間を設定する周期を可変させて、前記現像手段の現像条件を補正する制御手段と、
（ｄ）前記記録媒体を搬送する搬送手段と、
を有することを特徴とする画像形成装置が提供される。


【手続補正６】
【補正対象書類名】明細書
【補正対象項目名】００１９
【補正方法】変更
【補正の内容】
【００１９】
更に、本発明による他の態様によれば、現像容器を備えた現像手段を有し、画像形成装置本体に脱着自在な現像装置において、
現像装置に関する情報をプロセススピードに対応して記憶する記憶手段を有し、
前記記憶手段に記憶される情報が、少なくとも現像装置の使用量を含み、
前記画像形成装置本体は、現像手段に直流電圧に交流電圧を重畳した振動電圧を印加する現像バイアス印加手段と、現像手段の使用量が所定量以上の場合、前記振動電圧の交流電圧を、所定時間にわたって電圧振動させた後、所定時間休止させて、これを周期的に繰り返すように制御する制御手段とを有し、
前記制御手段によって、前記記憶手段に記憶される現像手段の使用量に応じて、前記交流電圧の休止時間を設定する周期を可変させて、前記現像手段の現像条件が補正されることを特徴とする現像装置が提供される。